(57)【要約】【課題】蓋体の外径が異なる数種のスチームトラップに装着可能な汎用性に富んだ保温カバーを提供する。【解決手段】スチームトラップに備えた弁体を作動させる駆動部を内装した蓋体の外方に空気層を形成する様に被冠するキャップ型の保温カバー１であって、該カバー１内側の天井部1aに設定した円周上に等間隔を置いて複数本の帯板片８、8a…を求心方向へ弾性的に付勢する様に垂設して拡縮径自在と成したクリップ７を設け、帯板片８、8a…には外径を異にした複数の蓋体の各外径と同一な円周上に対応する様に弾性的に拡開して各蓋体の上端縁に掛止する複数の段部９、9aを天井部1aより所定間隔を隔てた高さ位置から階段状に屈曲形成する。【選択図】図２
2010255763.tif 000002
【特許請求の範囲】
【請求項１】
スチームトラップに備えた弁体を作動させる駆動部を内装した蓋体の外方に空気層を形成する様に被冠するキャップ型の保温カバーであって、該カバー内側の天井部に設定した円周上に等間隔を置いて複数本の帯板片を求心方向へ弾性的に付勢する様に垂設して拡縮径自在と成したクリップを設け、帯板片には外径を異にした複数の蓋体の各外径と同一な円周上に対応する様に弾性的に拡開して各蓋体の上端縁に掛止する複数の段部を天井部より所定間隔を隔てた高さ位置から階段状に屈曲形成したことを特徴とするスチームトラップの保温カバー。
【請求項２】
帯板片の下端に各蓋体の適所に掛止可能な爪片を屈曲形成したことを特徴とする請求項１記載のスチームトラップの保温カバー。
【発明の詳細な説明】
【技術分野】
【０００１】
本発明は、蒸気配管系で発生する復水を自動的に排出するスチームトラップの保温カバーに関する。
【背景技術】
【０００２】
スチームトラップは、例えば、特許文献１に開示されるデイスク式や、特許文献２、３に開示される熱応動式など多種多様な形式のものが見受けられる。
ディスク式スチームトラップは、弁箱の一側に開設した入口と弁箱の水平な上端面の中心に開設した噴出口とを一次側流路にて連通し、弁箱の他側に開設した出口と前記上端面に噴出口を中心に凹設した環状溝に開設した排出口とを二次側流路にて連通し、前記上端面に噴出口と環状溝を同時に開閉可能なディスク状の弁体を着離自在に配置すると共に、該弁体の収容空間を弁室として内部に形成した蓋体で弁箱上部を被冠して成り、かかる弁室（蓋体）からの放熱による弁室内蒸気の凝縮に基づき弁体を開閉弁させる。
熱応動式スチームトラップは、弁箱の一側に開設した入口と弁箱の上端面に開設した噴出口とを一次側流路にて連通し、弁箱の他側に開設した出口と前記上端面の中心に開設した弁口とを二次側流路にて連通し、該弁口を開閉する弁体を熱媒体を封入して成るダイヤフラム又はベローズ等の熱膨縮体に設け、該熱膨縮体の収容空間を弁室として内部に形成した蓋体で弁箱上部を被冠して成り、蒸気と復水の温度変化により膨縮する熱膨縮体にて弁体を開閉弁させる。
【０００３】
いずれの形式のスチームトラップも弁体を作動させる駆動部を弁箱上部に被冠した蓋体（弁室）に内装しているため、気候によって変化する大気温度が蓋体内部の蒸気温度に影響を及ぼし、冬季や雨天、雪天では頻繁に開弁して高温度の復水が排出され、夏季では開弁が遅延し上流側に多量の復水を滞留させる問題があった。
そこで、上記問題を解消すべく、特許文献４に開示されたスチームトラップでは、蓋体の外方に空気層を形成する保温カバーを被冠し、弁室内を空気層を介して大気で二次的に冷却させ、駆動部が大気温度の影響を直接受けない様にしている。
【先行技術文献】
【特許文献】
【０００４】
【特許文献１】実公平７−２５５１６号公報
【特許文献２】特公平６−６８３５２号公報
【特許文献３】特開２００５−２７３７４０号公報
【特許文献４】特許第２７１１６０７号公報
【発明の概要】
【発明が解決しようとする課題】
【０００５】
しかしながら、上記保温カバーは、蓋体を螺着している弁箱上部の外周に単に外嵌したキャップに過ぎず、その外径が異なるスチームトラップには、別途保温カバーを用意せねばならないので汎用性に欠ける。
そこで、本発明では、蓋体の外径が異なる数種のスチームトラップに装着可能な汎用性に富んだ保温カバーを提供することを目的としている。
【課題を解決するための手段】
【０００６】
上記課題に鑑み、本発明に係るスチームトラップの保温カバーは、スチームトラップに備えた弁体を作動させる駆動部を内装した蓋体の外方に空気層を形成する様に被冠するキャップ型に形成され、保温カバー内側の天井部に設定した円周上に等間隔を置いて複数本の帯板片を求心方向へ弾性的に付勢する様に垂設して拡縮径自在と成したクリップを設け、帯板片には外径を異にした複数の蓋体の各外径と同一な円周上に対応する様に弾性的に拡開して各蓋体の上端縁に掛止する複数の段部を天井部より所定間隔を隔てた高さ位置から階段状に屈曲形成したことを特徴とする。
又、帯板片の下端に各蓋体の適所に掛止可能な爪片を屈曲形成しても良い。
【発明の効果】
【０００７】
要するに本発明は上記構成から成るので、クリップにおける帯板片を放射方向へ弾性的に拡開して、被冠すべき蓋体の外径に対応した帯板片の段部をその蓋体上端縁に掛止することにより、１個の保温カバーを外径の異なる複数の蓋体の夫々に被冠させることができる。
しかも、帯板片の段部が蓋体上端縁に掛止することで、保温カバーの天井部と蓋体上面との間隔を確実かつ安定的に保持して蓋体と保温カバーの間に空気層を確保できる。
【０００８】
又、帯板片の下端に屈曲形成した爪片を各蓋体の適所に掛止することにより、クリップの蓋体に対する掴持をより一層堅固なものと成すことができる等その実用的効果甚だ大である。
【図面の簡単な説明】
【０００９】
【図１】保温カバーの底面図である。
【図２】図１のＡ−Ａ断面図である。
【図３】保温カバーの一使用例を示すスチームトラップの断面図である。
【図４】保温カバーの他の使用例を示すスチームトラップの断面図である。
【発明を実施するための形態】
【００１０】
以下本発明の実施の一形態例を図面に基づいて説明する。
本発明に係る保温カバー１は、円柱状に形成された蓋体２、2aの外径が異なる複数のスチームトラップ３、3aに装着可能にして、該スチームトラップ３、3aに備えた弁体４、4aを作動させる駆動部５、5aを内装した蓋体２、2aの外方に空気層６、6aを形成する様に被冠するキャップ型に形成されている。
【００１１】
そして、保温カバー１内側の天井部1aには、外径が異なる複数の蓋体２、2aを弾性的に掴持する拡縮径自在なクリップ７を設けている。
このクリップ７は天井部1aにこれと同心にして適宜直径を有する円（図１に２点鎖線で示す。）を設定すると共に、該円周上に等間隔を置いて複数本の薄板ばね製の帯板片８、8a…を求心方向へ弾性的に付勢する様に垂設している。
【００１２】
帯板片８、8a…には蓋体２、2aの各外径と同一な円周上に対応する様に弾性的に拡開して蓋体２、2aの上端縁の夫々に掛止する複数の段部９、9aを天井部1aより所定間隔を隔てた高さ位置から階段状に屈曲形成している。
又、帯板片８、8a…の下端には、蓋体２、2a適所に掛止可能な爪片10、10ａ…を屈曲形成しており、該爪片10、10ａ…は図３に示す様に蓋体２の下端部に掛止できない場合においては、図４に示す様に蓋体2a外周の適宜高さ位置に爪片10、10ａ…が掛止可能な円環溝11を刻設するのがより望ましい。
帯板片８、8a…において各段部９、9aは、求心方向へ弾性的に付勢する様に屈曲形成したので、無負荷状態で図２に示す様に中心軸線に対し所定角度α、βを以て傾倒しており、かかる傾倒角度を変更することにより、クリップ７の蓋体２、2aに対する掴持力を調整している。
【００１３】
本実施例では、スチームトラップ３、3aは、サーモダイナミックトラップのディスク式を示し、両者３、3aの構造は同一であるが大きさを異にしている。
このスチームトラップ３、3aは、弁箱12、12ａの一側に開設した入口13、13ａと、弁箱12、12ａの水平な上端面の中心に開設した噴出口14、14ａとを一次側流路15、15ａにて連通し、弁箱12、12ａの他側に開設した出口16、16ａと、前記上端面に噴出口14、14ａを中心として凹設した環状溝17、17ａに開設して成る排出口18、18ａとを二次側流路19、19ａにて連通している。
【００１４】
そして、上記上端面に噴出口14、14ａと環状溝17、17ａを同時に開閉可能にして、且つ弁箱12、12ａ上端面より若干大径なディスク状の弁体４、4aを着離自在に配置すると共に、該弁体４、4aの収容空間を圧力室20、20ａとして内部に形成した蓋体２、2aで弁箱12、12ａ上部を被冠することにより、圧力室20、20ａからの放熱による圧力室20、20ａ内の蒸気の凝縮に基づき弁体４、4aを開閉弁させる駆動部５、5aとして、これを蓋体２、2aに内装している。
【００１５】
圧力室20、20ａにおいて、蓋体２、2aの内周壁は弁箱12、12ａ上部の外周壁との間に円環状の空隙を形成して成り、外周壁の下端は下方へ向かうに従い徐々に拡径するテーパー状（以下、テーパー面21、21ａと称する。）に形成されている。
このテーパー面21、21ａ上には、温度感知により拡縮径するバイメタルリング22、22ａを配置し、該バイメタルリング22、22ａの上端に弁箱12、12ａ上部を遊挿して弁体４、4aの下端周縁を接離自在に支持する扁平環23、23ａを載置している。
図中に示す符号24、24ａはストレーナである。
【００１６】
尚、本実施例では保温カバー１を装着するスチームトラップ３、3aとしてディスク式のものを示したが、弁体を作動させる駆動部を内装した蓋体を備えたスチームトラップであれば、その他の形式のサーモダイナミックトラップやサーモスタチックトラップ（特許文献２、３に開示される熱応動式スチームトラップ）にも本発明に係る保温カバー１を適用できる。
【００１７】
次に保温カバー１のスチームトラップ３、3aへの装着について図３、４に基づき説明する。
蓋体２、2aに保温カバー１を被冠するには、その装着時にクリップ７における帯板片８、8a…の各下端側を放射方向へ弾性的に拡開する様に蓋体２、2aの上端縁を爪片10、10ａ…先端に押し当て、該爪片10、10ａ…を蓋体２、2a外周壁に摺接させながら保温カバー１を押し下げる。
【００１８】
そして、小径の段部９に外径が対応した蓋体２にあっては、その上端縁が上段の段部９に掛止され、爪片10、10ａ…は蓋体２の下端部に掛止する（図３参照）。
又、大径の段部9aに外径が対応した蓋体2aにあっては、その上端縁が下段の段部9aに掛止され、爪片10、10ａ…は蓋体2aの円環溝11に掛止する（図４参照）。
【００１９】
この様に蓋体２、2aに装着された保温カバー１は、蓋体２、2aよりも大形なキャップ型に形成され、蓋体２、2aの上端縁に段部９、9aが掛止することにより、蓋体２、2a上端面と天井部1aとの間に所定の間隔を確実に保持し、蓋体２、2aと保温カバー１との間に空気層６、6aが確保される。
これにより圧力室20、20ａ内を空気層６、6aを介して大気で二次的に冷却させ、駆動部５が大気温度の影響を直接受けない様にし、弁体４、4aを正常に開閉弁させる。
【符号の説明】
【００２０】
１          保温カバー
1a          天井部
２、2a      蓋体
３、3a      スチームトラップ
４、4a      弁体
５、5a      駆動部
６、6a      空気層
７          クリップ
８、8a…    帯板片
９、9a      段部
10、10ａ…  爪片
【図１】
2010255763.tif 000003
【図２】
2010255763.tif 000004
【図３】
2010255763.tif 000005
【図４】
2010255763.tif 000006